(57)【要約】      （修正有）【課題】尿吸収領域内に検出手段を追加して、ペットの排泄物を収集すると共に、それに対する検査を行うことができ、試験紙の色が変わることにより検査結果を直観的に表示し、清潔で、衛生的で、且つ便利である多機能ペットパッドを提供する。【解決手段】多機能ペットパッドは、ペット用品に関し、表面層、吸着層、及びキャスト層を含み、パッドの中央部は尿吸収領域１であり、尿吸収領域の周りは周辺部３であり、尿吸収領域は、表面層、吸着層、及びキャスト層を順番に下へ積み重ねて組み合わせてあり、キャスト層及び表面層は吸着層より大きく、尿吸収領域に尿及び／又は糞便を検査することに用いられる一つ以上の検出手段２が設置される。【選択図】図１
0003197431.tif 000002
【実用新案登録請求の範囲】
【請求項１】
表面層、吸着層、及びキャスト層を含み、パッドの中央部は尿吸収領域であり、尿吸収領域の周りは周辺部であり、尿吸収領域は、表面層、吸着層、及びキャスト層を順番に下へ積み重ねて組み合わせてあり、キャスト層及び表面層は吸着層より大きい多機能ペットパッドであって、
尿吸収領域に、尿及び／又は糞便を検査することに用いられる一つ以上の検出手段が設置されることを特徴とする多機能ペットパッド。
【請求項２】
前記パッドの表面層が不織布であり、吸着層内にトイレットペーパーが設置されることを特徴とする請求項１に記載の多機能ペットパッド。
【請求項３】
前記検出手段が、嵌め込み、印刷、又は貼り付けの方式で表面層又は吸着層に設置されることを特徴とする請求項１に記載の多機能ペットパッド。
【請求項４】
前記検出手段が不織布又はトイレットペーパーに印刷されることを特徴とする請求項２に記載の多機能ペットパッド。
【請求項５】
前記検出手段が尿糖試験紙及び／又はｐｈ試験紙及び／又は細菌試験紙であることを特徴とする請求項１〜４のいずれか一項に記載の多機能ペットパッド。
【請求項６】
前記検出手段が二つあり、そのセンターラインがパッドの中心を通ることを特徴とする請求項１〜５のいずれか一項に記載の多機能ペットパッド。
【請求項７】
前記検出手段が四つあり、パッドの中心に近接する位置に均等に分布されることを特徴とする請求項１〜５のいずれか一項に記載の多機能ペットパッド。
【考案の詳細な説明】
【技術分野】
【０００１】
本考案はペット用品に関し、特に多機能ペットパッドに関する。
【背景技術】
【０００２】
社会の発展と生活水準の向上に伴い、人々は物質生活を楽しむと共に、精神生活も追求し、ペットを飼うことが徐々に人気のファッションになっている。ペットは人々の精神的な糧であり、人々の交流のニーズを満足させて、人に喜びの多くをもたらすことができる。そのため、ペットの人々の生活における地位が高ければ高いほど、人々のペットの生活品質に対するリクエストも高くなる。ペットの生活条件が優れるため、何も心配することはなく、運動不足、肥満になりやすい。したがって、様々な合併症を引き起こし、特に糖尿病は、ペットの生活品質にひどく影響して、ペットの飼い主に面倒をかける。人々は定期的にペットを連れて診察し治療する必要があり、ペットの健康状態を保障するが、尿検査や糞便検査を行う時に、手で尿や糞便を取ることは、不便且つ不衛生である。日常生活において、ペットパッドは通常人々がペットの排泄物をクリーンアップするのに用いられる。既存のペットパッドの種類は数多く、大抵は漏れ防止、オーバーフロー防止機能だけを備え、同時に尿や糞便に対する検査を行うことはできない。
【考案の概要】
【考案が解決しようとする課題】
【０００３】
本考案の目的は、上記の問題を乗り越えて、多機能ペットパッドを提供することであり、尿吸収領域内に検出手段を追加して、ペットの排泄物を収集すると共に、それに対する検査を行うことができ、清潔で、衛生的で、且つ便利である。
【課題を解決するための手段】
【０００４】
本考案において、その技術的問題を解決するように採用された技術案は、表面層、吸着層、及びキャスト層を含み、パッドの中央部は尿吸収領域であり、尿吸収領域の周りは周辺部であり、尿吸収領域は、表面層、吸着層、及びキャスト層を順番に下方向へ積み重ねて組み合わせてあり、キャスト層及び表面層は吸着層より大きく、尿吸収領域に尿及び／又は糞便を検査することに用いられる一つ以上の検出手段が設置される。
【０００５】
好ましくは、上記パッドの表面層が不織布であり、吸着層内にトイレットペーパーが設置される。
【０００６】
好ましくは、上記検出手段が、嵌め込み、印刷、又は貼り付けの方式で表面層又は吸着層に設置される。
【０００７】
好ましくは、上記検出手段が不織布又はトイレットペーパーに印刷される。
【０００８】
好ましくは、上記検出手段が尿糖試験紙及び／又はｐｈ試験紙及び／又は細菌試験紙である。
【０００９】
好ましくは、上記検出手段が二つあり、そのセンターライン（二つの検出手段の略中心を結ぶ直線）がパッドの中心を通る。
【００１０】
好ましくは、上記検出手段が四つあり、パッドの中心に近接する位置に均等に分布される。
【００１１】
本考案に採用される技術的原理は、既存のペットパッドに対して改善及び革新を施し、尿吸収領域に検出手段を追加して、ペットの排泄物を収集すると共に、尿や糞便に対する検査を行い、タイムリーにペットの身体状況を反映する。上記検出手段は、市場で知られている各種の試験紙であり、嵌め込み、印刷、又は貼り付けの方式でパッドの表面層又は吸着層に設置される。例えば、尿糖試験紙であってもよく、ペットが排尿すると、尿は表面層を経て吸着層に漏洩し、吸着層に吸収されて閉じ込められ、浸ることにより、試験紙内の試薬が吸収された尿の中の物質と反応して新しい物質を生成し、尿の中のグルコース含有量に従って少量から多量まで薄青、薄緑、ブラウン又はダークブラウンになる。比色により、尿糖含量を検出して、タイムリーにペットの飲食をコントロールし、病院に行くかどうかを決める。上記検出手段は、細菌試験紙であってもよく、ペットの糞便に対する検査を行うことにより、その生体成分、細菌、ウイルス、及びその他の有害物質を検出することができ、タイムリーにペットの健康状態を監視する。上記検出手段は、ｐｈ試験紙又は尿糖試験紙等であってもよく、同じ原理に基づいて、尿のｐＨ値を検出し、タイムリーにペットの尿の各指標を検出する。
【００１２】
本考案の有益な効果は、尿吸収領域内に検出手段を追加して、ペットの排泄物を収集すると共に、それに対する検査を行うことができ、試験紙の色が変わることにより検査の結果を直観的に表示し、清潔で、衛生的で、且つ便利であり、現代人の生活リクエストを満足させることである。
【図面の簡単な説明】
【００１３】
【図１】実施例１の正面図である。
【図２】実施例１の底面図である。
【図３】実施例２の正面図である。
【図４】実施例２の底面図である。
【考案を実施するための形態】
【００１４】
以下、図面と実施例とを結び付けて本考案についてさらに説明する。
【００１５】
実施例１
パッドの中央部は尿吸収領域１であり、尿吸収領域１の周りは周辺部３であり、尿吸収領域１は、表面層４、吸着層５、キャスト層６を順番に下方向へ積み重ねて組み合わせてあり、キャスト層６及び表面層４は吸着層５より大きく、上記パッドの表面層４は不織布であり、吸着層５内にトイレットペーパーが設置され、上記検出手段２はトイレットペーパーに印刷された尿糖試験紙であり、その数は四つで、パッドの中心に近接する位置に均等に分布される。
【００１６】
実施例２ 
パッドの中央部は尿吸収領域１であり、尿吸収領域１の周りは周辺部３であり、尿吸収領域１は、表面層４、吸着層５、キャスト層６を順番に下方向へ積み重ねて組み合わせてあり、キャスト層６及び表面層４は吸着層５より大きく、上記パッドの表面層４は不織布であり、吸着層５内にトイレットペーパーが設置され、上記検出手段２はトイレットペーパー上に張り付けられた尿糖試験紙であり、その数は二つで、そのセンターラインはパッドの中心を通る。
【００１７】
多機能ペットパッドは、既存のペットパッドに対して改善及び革新を施し、尿吸収領域１に検出手段２を追加して、ペットの排泄物を収集すると共に、尿や糞便に対する検査を行い、タイムリーにペットの身体状況を反映する。ペットが糖尿病にかかると、尿糖試験紙を内設したパッドを使用することができ、ペットが排尿すると、尿は表面層４を経て吸着層５に漏洩し、吸着層５に吸収されて閉じ込められ、浸ることにより、試験紙内の試薬が吸収された尿の中の物質と反応して新しい物質を生成し、尿の中のグルコース含有量に従って少量から多量まで薄青、薄緑、ブラウン又はダークブラウンになる。比色により、尿糖含量を検出して、タイムリーにペットの飲食をコントロールし、病院に行くかどうかを決める。
【００１８】
本考案には別の実施の形態があり、例えば、検出手段はｐｈ試験紙、尿糖試験紙、又はその他の市場で知られている各種の試験紙であり、同等切り替え又は同効変換によりできた技術案は、いずれも本考案の請求の範囲内で保護される。
【符号の説明】
【００１９】
１  尿吸収領域
２  検出手段
３  周辺部
４  表面層
５  吸着層
６  キャスト層
【図１】
0003197431.tif 000003
【図２】
0003197431.tif 000004
【図３】
0003197431.tif 000005
【図４】
0003197431.tif 000006